(57)【要約】  【課題】本発明は、カラオケ演奏端末に対して楽曲選択のための表示を提供するためのカラオケ演奏管理システムに関し、処理が容易であり、利用者に対して満足度をより向上させた楽曲選択を可能とする図ることを目的とする。  【解決手段】各カラオケ演奏端末より利用者の登録者ＩＤに関連づけられて送られてくる歌唱予定のまたは歌唱された指定楽曲の情報をユーザリストおよび／または履歴リストとしてユーザリストＤＢ３０等に格納し、ランキング演算手段２６が当該リストの楽曲情報を登録者ＩＤで特定される少なくとも年齢範囲で分類し、分類毎に同一楽曲の指定数でリスト化したリストファイルを作成してランキングＤＢ３１に格納し、当該分類毎のリストファイルの全部または一部を、利用者による楽曲検索に応じてカラオケ演奏端末で表示させるためにデータ配信処理手段２７が適時に転送する構成とする。  【選択図】  図２
2006098832.tif 000002
【特許請求の範囲】
【請求項１】
利用者の所定情報と関連づけられた登録者ＩＤを用いて歌唱させる手段を備えるカラオケ演奏端末と通信ネットワークを介して接続するための通信手段を備えるカラオケ演奏管理システムであって、
前記カラオケ演奏端末の各利用者の前記所定情報および登録者ＩＤを格納する第１格納手段と、
前記通信ネットワークに接続された前記各カラオケ演奏端末より前記利用者の登録者ＩＤに関連づけて送られてくる歌唱予定のまたは歌唱された指定楽曲の情報を格納する第２格納手段と、
前記第２格納手段より総ての楽曲情報を読み込み、関連づけられた前記登録者ＩＤより前記第１格納手段を参照して、少なくとも所定の年齢範囲で分類し、年齢範囲毎に同一楽曲の指定数でリスト化したリストファイルを作成するランキング演算手段と、
前記ランキング演算手段で年齢範囲毎に作成されたそれぞれの年齢範囲別のリストファイルを格納する第３格納手段と、
少なくとも、前記カラオケ演奏端末での利用者による楽曲検索に対し、当該登録者ＩＤより特定される年齢に応じて、前記年齢範囲別のリストファイルにおける楽曲リストの全部または一部を表示させるために、当該カラオケ演奏端末に対して適時に前記第３格納手段に格納されている年齢範囲別のリストファイルの全部または一部を転送するデータ配信処理手段と、
を有することを特徴とするカラオケ演奏管理システム。
【請求項２】
請求項１に記載のカラオケ演奏管理システムであって、前記ランキング演算手段は、前記年齢範囲に加えて、前記利用者の所定情報としての少なくとも性別、住所地、職業のうちの少なくとも何れかで分類し、分類毎に同一楽曲の指定数でリスト化したリストファイルを作成することを特徴とするカラオケ演奏管理システム。
【請求項３】
請求項１または２記載のカラオケ演奏管理システムであって、前記第２格納手段は、前記指定楽曲の情報が前記各利用者による持ち歌の楽曲として前記カラオケ演奏端末より所定数登録されるものであり、当該利用者の登録者ＩＤ毎にユーザリストとして格納することを特徴とするカラオケ演奏管理システム。
【請求項４】
請求項１または２記載のカラオケ演奏管理システムであって、前記各カラオケ演奏端末は利用者による歌唱を評価するための評価処理手段を備えるもので、当該カラオケ演奏端末より前記登録者ＩＤに関連づけられて評価要求および歌唱楽曲の情報を取得した際に、前記第２格納手段は、前記指定楽曲としての当該歌唱楽曲の情報を当該登録者ＩＤに関連づけて履歴リストとして格納することを特徴とするカラオケ演奏管理システム。
【発明の詳細な説明】
【技術分野】
【０００１】
本発明は、カラオケ演奏端末に対して楽曲選択のための表示を提供するためのカラオケ演奏管理システムに関する。
【背景技術】
【０００２】
近年、通信カラオケの施設が全国的に広がりを見せ、記憶技術や記録技術の発展、また通信技術の発展により利用者に対して種々のサービスを提供することができるようになってきている。例えば、楽曲数の増加や利用者による楽曲の検索、選択を容易にさせる電子楽曲目録の提供等がある。一方で楽曲選択を補助する楽曲リストを表示させることも行われているが、利用者の満足度を向上させるための楽曲選別を行う必要がある。
【０００３】
従来、通信カラオケを利用する利用者において、歌唱する楽曲を楽曲目録本や電子楽曲目録を用いて検索し、選択しているが、次曲を選択するにあたり所定数の楽曲名を表示して利用者における楽曲選択を補助することが行われている。この楽曲選択を補助するための楽曲を抽出する手法として、例えば、楽曲に各年代にヒットした付属情報を付加しておき、当該利用者の馴染みのある年代を検索条件とさせることが知られている。
【０００４】
また、上記の各年代にヒットした楽曲を所定数表示させても、当該ヒット曲が高度な歌唱力を要するようなものは、利用者にとって必ずしも歌唱したい楽曲ではないことから、利用者が歌唱したい楽曲を抽出する手法も提案されている。その一例が、以下の特許文献で提案されている。
【０００５】
【特許文献１】特開平１１−５２９６５号公報
【０００６】
上記特許文献には、全国的な顧客の利用履歴を反映した楽曲を推薦することを目的とした通信カラオケシステム等が開示されており、推薦曲を抽出する手法の一例として、各楽曲毎に選曲者属性数値を対応付けして、歌唱された選曲者属性数値に近似した選曲者属性数値の楽曲を所定数抽出することが開示されている。上記選曲者属性数値は、演奏された楽曲に、歌唱した顧客の氏名、性別、年齢等と関連づけられた顧客ＩＤを対応付けた演奏履歴を記憶させ、これらを全国的に収集した演奏履歴データに基づいて、各楽曲毎に各顧客の男性比率、若者比率、地元比率、人気比率で演算させることが示されている。
【発明の開示】
【発明が解決しようとする課題】
【０００７】
上記特許文献に開示されている上記手法を含めた各手法で抽出される推薦曲は、要約すれば、当該楽曲が歌唱された後に歌唱される頻度の高い楽曲であり、抽出するにあって上記選曲者属性数値等で表したものである。すなわち、推薦曲が上記比率で歌唱される頻度の高い楽曲であることから、利用者にとっては歌唱可能でよく歌唱されている楽曲が示されることで満足度の高いものとなっているが、より処理が容易で、より細かな範囲での楽曲選択が望まれる。
【０００８】
そこで、本発明は上記課題に鑑みなされたもので、処理が容易であり、利用者に対して満足度をより向上させた楽曲選択を可能とするカラオケ演奏管理システムを提供することを目的とする。
【課題を解決するための手段】
【０００９】
上記課題を解決するために、請求項１の発明では、利用者の所定情報と関連づけられた登録者ＩＤを用いて歌唱させる手段を備えるカラオケ演奏端末と通信ネットワークを介して接続するための通信手段を備えるカラオケ演奏管理システムであって、前記カラオケ演奏端末の各利用者の前記所定情報および登録者ＩＤを格納する第１格納手段と、前記通信ネットワークに接続された前記各カラオケ演奏端末より前記利用者の登録者ＩＤに関連づけて送られてくる歌唱予定のまたは歌唱された指定楽曲の情報を格納する第２格納手段と、前記第２格納手段より総ての楽曲情報を読み込み、関連づけられた前記登録者ＩＤより前記第１格納手段を参照して、少なくとも所定の年齢範囲で分類し、年齢範囲毎に同一楽曲の指定数でリスト化したリストファイルを作成するランキング演算手段と、前記ランキング演算手段で年齢範囲毎に作成されたそれぞれの年齢範囲別のリストファイルを格納する第３格納手段と、前記カラオケ演奏端末での利用者による楽曲検索に対し、当該登録者ＩＤより特定される年齢に応じて、前記年齢範囲別のリストファイルにおける楽曲リストの全部または一部を表示させるために、当該カラオケ演奏端末に対して適時に前記第３格納手段に格納されている年齢範囲別のリストファイルの全部または一部を転送するデータ配信処理手段と、を有する構成とする。
【００１０】
請求項２の発明では、前記ランキング演算手段は、前記年齢範囲に加えて、前記利用者の所定情報としての少なくとも性別、住所地、職業のうちの少なくとも何れかで分類し、分類毎に同一楽曲の指定数でリスト化したリストファイルを作成する構成である。
【００１１】
請求項３および４の発明では、「前記第２格納手段は、前記指定楽曲の情報が前記各利用者による持ち歌の楽曲として前記カラオケ演奏端末より所定数登録されるものであり、当該利用者の登録者ＩＤ毎にユーザリストとして格納する」構成であり、
「前記各カラオケ演奏端末は利用者による歌唱を評価するための評価処理手段を備えるもので、当該カラオケ演奏端末より前記登録者ＩＤに関連づけられて評価要求および歌唱楽曲の情報を取得した際に、前記第２格納手段は、前記指定楽曲としての当該歌唱楽曲の情報を当該登録者ＩＤに関連づけて履歴リストとして格納する」構成である。
【発明の効果】
【００１２】
本発明によれば、各カラオケ演奏端末より利用者の登録者ＩＤに関連づけられて送られてくる歌唱予定のまたは歌唱された指定楽曲の情報をユーザリストおよび／または履歴リストとして格納し、当該リストより関連づけられた登録者ＩＤで特定される少なくとも年齢範囲で分類し、分類毎に同一楽曲の指定数でリスト化したリストファイルを作成して格納し、当該分類毎のリストファイルの全部または一部を、利用者による楽曲検索に応じてカラオケ演奏端末で表示させるために適時に転送する構成とすることにより、少なくとも年齢範囲別でよく歌唱される楽曲を容易な処理でリスト化することができ、利用者の年齢に応じてより精緻な楽曲選択を可能として利用者の満足度を向上させることができるものである。
【発明を実施するための最良の形態】
【００１３】
以下、本発明の最良の実施形態を図により説明する。
図１に、本発明に係るカラオケ演奏管理システムのネットワーク接続状況の模式図を示す。図１において、カラオケ演奏管理システムとしてのカラオケ演奏管理サーバ１１は、利用者の所定情報と関連づけられた登録者ＩＤを用いて歌唱させる手段を備えるカラオケ演奏端末を通信ネットワークを介して管理するシステムとして、一般公衆電話回線やこれを用いたＡＤＳＬあるいはインターネット、さらには、ＬＡＮなどの通信ネットワーク１２上に接続される。
【００１４】
上記通信ネットワーク１２上には、利用者による関連づけられた登録者ＩＤを例えばＩＣカード用いて歌唱させるカード読取手段（図３で説明する）を備える所定数のカラオケ演奏端末１３（１３Ａ〜１３Ｎ）が接続されるもので、例えば、カラオケ演奏装置で使用されるディスプレイ付きリモコン装置等の遠隔入出力装置１４（１４Ａ〜１４Ｎ）がそれぞれ備えられる。
【００１５】
そこで、図２に、本発明に係るカラオケ演奏管理システムのブロック構成図および登録者ＤＢの格納内容の一例の説明図を示す。図２（Ａ）において、カラオケ演奏管理システムとしての管理サーバ１１は、適宜、制御手段２１、バス２２、通信手段２３、ＲＡＭ２４、リスト作成手段２５、ランキング演算手段２６、データ配信処理手段２７、ＤＢ管理手段２８、第１格納手段である登録者ＤＢ（データベース）２９、第２格納手段であるユーザリストＤＢ３０および第３格納手段であるランキングＤＢ３１を備える。なお、上記ＤＢ管理手段２８、登録者ＤＢ２９、ユーザリストＤＢ３０およびランキングＤＢ３１は、当該サーバ内ではなく外部のＤＢサーバまたは外部記憶装置として、全部または個別に設置される構成としてもよい。
【００１６】
ここで、上記登録者ＤＢ２９は、カラオケ演奏端末１３（１３Ａ〜１３Ｎ）の各利用者が例えば会員として予め所定情報を格納しておくもので、その所定情報としては、例えば、図２（Ｂ）に示すように、登録者ＩＤ、氏名、セカンドネーム、郵便番号、住所、電話、年齢、性別が含まれ、適宜、登録者の顔写真等のイメージファイル名が関連づけられている。当該各イメージファイルは、図示しないが、当該登録者ＤＢ２９に設けられたフォルダに格納される。
【００１７】
上記ユーザリストＤＢ３０は、通信ネットワーク１２に接続された各カラオケ演奏端末１３（１３Ａ〜１３Ｎ）より利用者の登録者ＩＤに関連づけて送られてくる歌唱予定のまたは歌唱された指定楽曲の情報に基づいて、後述のリスト作成手段２５が作成した当該利用者の登録者ＩＤ毎の持ち歌の楽曲としてのユーザリスト（図４（Ｂ）で説明する）を格納する。また、上記ランキングＤＢ３１は、後述のランキング演算手段２６で年齢範囲毎に作成されたそれぞれの年齢範囲別のリストファイル（図５で説明する）を格納する。そして、これら登録者ＤＢ２９、ユーザリストＤＢ３０およびランキングＤＢ３１に対して、情報の更新、閲覧（抽出）等が上記ＤＢ管理手段２８で管理されるものである。
【００１８】
上記制御手段２１は、このシステムを統括的に制御するもので、例えば物理的なＣＰＵに制御のためのプログラムが格納され、当該プログラムはＲＡＭ２４等に展開されて実行される。上記通信手段２３は、通信ネットワーク１２上のカラオケ演奏端末１３およびその遠隔入出力装置１４との間で定められた通信プロトコルによって通信を行うためのもので、当該通信ネットワーク１２の通信方式と整合性をとるための例えば物理的な通信用回路やプラットフォーム等のソフトウエアにより構成される。上記ＲＡＭ２４は、種々のプログラムを展開、実行させるための作業領域としての役割をするものであり、例えば半導体メモリで構成され、仮想的にハードディスク上に構築される場合をも含む概念である。
【００１９】
上記リスト作成手段２５は、カラオケ演奏端末１３より利用者の登録者ＩＤに関連づけて送られてくる歌唱予定のまたは歌唱された指定楽曲の情報に基づいて各利用者による持ち歌の楽曲として当該利用者の登録者ＩＤ毎にユーザリストを作成して上記ユーザリストＤＢ３０に格納するもので、そのためのプログラムがＲＡＭ２４に展開されて実行される。上記ランキング演算手段２６は、ユーザリストＤＢ３０より総ての楽曲情報を読み込み、関連づけられた登録者ＩＤより上記登録者ＤＢ２９を参照して、年齢範囲（ここでは、１０歳範囲とする）で分類し、年齢範囲毎に同一楽曲の指定数でリスト化したリストファイル（図５で説明する）を作成するもので、そのためのプログラムがＲＡＭ２４に展開されて実行される。
【００２０】
上記データ配信処理手段２７は、所定のカラオケ演奏端末１３（１３Ａ〜１３Ｎ）での利用者による楽曲検索に対し、当該登録者ＩＤより特定される年齢に応じて、後述の図５で示す年齢範囲別のリストファイルにおける楽曲リストの全部または一部を表示させるために、当該カラオケ演奏端末１３に対して適時にランキングＤＢ３１に格納されている年齢範囲別のリストファイルの全部または一部を転送するもので、そのためのプログラムがＲＡＭ２４に展開されて実行される。また、カラオケ演奏端末１３（１３Ａ〜１３Ｎ）からのログイン要求に対して、登録者情報ファイル（登録者ＤＢ２９）の作成・更新やユーザリスト（ユーザリストＤＢ３０）の作成・更新等の所定の機能のアクセス対象を選択させるための表示ファイルを作成して送信する処理も行うもので、そのためのプログラムがＲＡＭ２４に展開されて実行される。
【００２１】
ここで、図３に、図１のカラオケ演奏端末のブロック構成図を示す。図３に示すカラオケ演奏端末１３（１３〜１３Ｎ）は、少なくとも、利用者の所定情報と関連づけられた登録者ＩＤを用いて歌唱させる手段を備えるものとして、制御手段４１、バス４２、ＲＡＭ４３、記憶手段４４、楽曲検索手段４５、映像出力手段４６、表示手段４７、操作制御手段４８、音声入力手段４９、マイク５０、音楽曲出力手段５１、スピーカ５２、表示ファイル作成手段５３、送信ファイル作成手段５４、カード読取手段５５、送受信手段５６および通信手段５７を適宜備える。
【００２２】
上記制御手段４１は、このシステムを統括的に制御するもので、例えば物理的なＣＰＵに制御のためのプログラムが格納され、当該プログラムはＲＡＭ４３等に展開されて実行される。当該ＲＡＭ４３は、種々のプログラムを展開、実行させるための作業領域としての役割をするものであり、例えば半導体メモリで構成され、仮想的にハードディスク上に構築される場合をも含む概念である。
【００２３】
上記記憶手段４４は、例えばハードディスク（ＨＤＤ）等の記憶装置であり、少なくとも、楽曲元データ（ファイル）６１、楽曲コード（テーブル）６２、映像データ（ファイル）６３、登録者データ（メモリ）６４およびランキングデータ（メモリ）６５を備える。楽曲元データ（ファイル）６１は、楽曲コード６２毎にデジタル的な楽曲データを保存するもので、当該楽曲（ファイル）コード６１は楽曲コードと楽曲名が関連付けられている。映像データ（ファイル）６３は、楽曲（コード）に対応した背景等の映像データを保存する。
【００２４】
登録者データ（メモリ）６４は、利用者の保持する後述のＩＣカード７１より読み取った当該利用者の登録者ＩＤと、年齢、性別、職業、住所地等のランキングデータの分類に応じた何れかを一旦記憶する。ランキングデータ（メモリ）６５は、上記管理サーバ１１のランキングＤＢ３１に格納されている年齢範囲別のランキングリストの全部または一部を当該管理サーバ１１より通信ネットワーク１２を介して適時（随時または定期的）にアップロードして記憶する。
【００２５】
上記楽曲検索手段４５は、例えば新曲、歌手名、曲名、ランキング（上記年齢範囲別等のランキングリスト）、ジャンルおよび履歴のそれぞれについて、上記記憶手段４４に記憶されている楽曲を検索するためのもので、そのためのプログラムがＲＡＭ４３に展開されて実行される。なお、年齢範囲別等のランキングリストの検索については図６で説明する。
【００２６】
上記映像出力手段４６は、遠隔入出力装置１４に種々の表示をさせるための映像を出力すると共に、選択された楽曲コードに対応した映像データを当該楽曲に同期させて表示手段４７に出力するもので、そのためのプログラムがＲＡＭ４３に展開されて実行される。遠隔入出力装置１４はＧＵＩ機能を付帯し、例えば液晶ディスプレイ（ＬＣＤ）とタッチセンサとを積層した入出力用の利用者インタフェイスが搭載され、当該タッチセンサにより楽曲の選択などのデータを入力することができるものである。そして、操作制御手段４８は、当該タッチセンサからの入力データを制御するもので、そのためのプログラムがＲＡＭ４３に展開されて実行される。
【００２７】
上記音声入力手段４９は、マイク５０からのアナログ音声データをＡ／Ｄコンバータ（図示省略）を介してデジタル変換する処理を主体とし、上記音楽曲出力手段５１は、記憶手段４４より選択された楽曲の楽曲元データ６１をデジタル再生してアナログ変換すると共に、上記マイク５０からのデジタル音声データをアナログ変換し、ミキシングしてスピーカ５２に出力する。
【００２８】
上記表示ファイル作成手段５３は、カラオケ演奏端末１３やその付帯する遠隔入出力装置１４において、利用者の選曲、歌唱採点等を表示手段４７に表示させるためのファイルや、通信カラオケ管理サーバ１１からの表示ファイルおよびコマンドに応じたファイル表示をするためのファイルデータを転送するもので、そのためのプログラムがＲＡＭ４３に展開されて実行される。上記送信ファイル作成手段５４は、通信カラオケ管理サーバ１１に対して利用者（登録者）に関する所定の情報を送信する際に送信ファイルを作成するもので、そのためのプログラムがＲＡＭ４３に展開されて実行される。
【００２９】
上記カード読取手段５５は、登録者である利用者が所持する非接触型のＩＣカード（利用者カード）７１を読み取る装置であり、利用者の登録者ＩＤと共に、年齢、性別、職業、住所地等のランキングデータの分類に応じた何れかのデータを読み取る。上記送受信手段５６は、遠隔入出力装置１４との間で有線方式ないし無線方式（ブルートゥース機構のピコネット接続方式）を利用してデータ授受を行うためのもので、そのための回路基板およびプログラムを備える。当該遠隔入出力装置１４は当該カラオケ演奏端末１３に対して種々の操作および表示が可能であり、上記操作制御手段４８によって当該操作信号が制御される。
【００３０】
そして、上記通信手段５７は、通信ネットワーク１２上の通信カラオケ管理サーバ１１との間で定められた通信プロトコルによって通信を行うためのもので、当該通信ネットワーク１２の通信方式と整合性をとるための例えば物理的な通信用回路やプラットフォーム等のソフトウエアにより構成されるものである。
【００３１】
そこで、図４に本発明に係るカラオケ演奏管理システムにおけるユーザリスト作成のフローチャートおよびユーザリストの一例の説明図を示すと共に、図５に、作成された楽曲ランキングの一例の説明図を示す。図４（Ａ）において、まず、所定のカラオケ演奏端末１３（１３Ａ〜１３Ｎ）の利用者が所持する自己のＩＣカード７１を当該演奏端末のカード読取手段５５にセットすることで、当該カード読取手段５５において登録者ＩＤを読み取り、一旦記憶手段４４の登録者データ領域６４に記憶する。そして、当該利用者が表示を見ながら管理サーバ１１に対して当該登録者ＩＤと共にログイン要求を行う（ステップ（Ｓ）１）。
【００３２】
管理サーバ１１では、ログイン要求に応じてデータ配信処理手段２７がアクセス対象を選択させるためのメニュー表示データを当該カラオケ演奏端末１３に送信する（Ｓ２）。当該カラオケ演奏端末１３よりユーザリストの要求があると（Ｓ３）、データ配信処理手段２７が取得した登録者ＩＤに基づいてユーザリストＤＢ３０より当該登録者ＩＤのユーザリストを抽出して当該リストデータを送信する（Ｓ４）。すなわち、ユーザリストＤＢ３０には、図４（Ｂ）に示すように、登録者ＩＤ毎に登録された楽曲コード、楽曲名、アーティストが列挙されて格納されており、対象の登録者ＩＤのリストデータを抽出するものである。
【００３３】
カラオケ演奏端末１３において、自己のユーザリストが表示され、このユーザリストにある所定の楽曲を削除する場合には（Ｓ５）、削除対象の楽曲を指定して送信する（Ｓ６）。管理サーバ１１では、リスト作成手段２５において当該ユーザリストに列挙されている楽曲のうち、削除対象の楽曲を削除する更新処理を行い（Ｓ７）、更新された当該ユーザリストのデータを送信する（Ｓ８）。また、表示された自己のユーザリストに新たに楽曲を追加する場合には（Ｓ９）、追加する楽曲を記憶手段４４に記憶されている中から楽曲検索手段４５で検索し（Ｓ１０）、検索された楽曲のうち選択された楽曲情報（楽曲コード、楽曲名、アーティスト）のデータを送信する（Ｓ１１）。
【００３４】
そして、管理サーバ１１では、リスト作成手段２５において当該ユーザリストに列挙されている楽曲のうち、対象の楽曲を追加する更新処理を行い（Ｓ１２）、更新された当該ユーザリストのデータを送信するものである（Ｓ１３）。
【００３５】
一方、管理サーバ１１のランキング演算手段２６では、更新されたユーザリストＤＢ３０に対して、定期的または随時に、総てのユーザリストを読み込み、関連づけられた登録者ＩＤより登録者ＤＢ２９を参照して、読み込んだ各楽曲に登録者ＩＤで特定された年齢の情報を一時的に付加し、これらの楽曲情報を年齢範囲（例えば１０歳範囲とする）で分類し、１０齢範囲毎に同一楽曲の指定数でリスト化したリストファイルを作成する。すなわち、図５に示すように、例えば１〜１０歳、１１〜２０歳、・・・、８１〜９０歳の年齢範囲で多数登録された楽曲順のランキングリスト（カウント、楽曲名、アーティスト）とするものである。
【００３６】
そして、作成された年齢範囲毎のランキングリストはランキングＤＢ３１に格納され、データ配信処理手段２７が随時または定期的に総てのカラオケ演奏端末１３に送信し、当該カラオケ演奏端末１３では取得したランキングリストを記憶手段４４のランキングデータ領域６５に記憶するものである。
【００３７】
続いて、図６に、カラオケ演奏端末における楽曲ランキング検索の説明図を示す。カラオケ演奏端末１３では、上述のように管理サーバ１１のランキングＤＢ３１に格納されている楽曲ランキングが記憶手段４４のランキングデータ領域６５に記憶されている。そこで、当該カラオケ演奏端末１３において利用者が歌唱する楽曲を選択するに際し、図３における楽曲検索手段４４を立ち上げ、図６（Ａ）に示すように、検索種類のタブの中からランキング検索を選択すると、当該利用者の情報を入力する画面が表れる。
【００３８】
当該画面では、例えば利用者の年齢、性別、職業および住所地を要求しており、例えば、図のように「３４歳」、「男性」、「会社員」、「東京都」が入力されたとする。なお、ランキングリストは年齢範囲でのみ作成されていることから、年齢の入力要求で十分であるが、ここでは後述する他の要素を含めたランキングリストが作成する場合もあるとして他の条件も入力要求するものとしている。
【００３９】
そこで、楽曲検索手段４４は、入力された年齢（３４歳）に基づいて、当該年齢を含む年齢範囲のランキングリストを記憶手段４４のランキングデータ領域６５より抽出する。上記の年齢によれば、図５に示す３１〜４０歳の範囲のランキングリストのデータが抽出される。そして、図６（Ｂ）に示すように、抽出したランキングリストデータに基づいて対象のアーティストおよび楽曲名がリストアップ（例えば、ベスト１０、ベスト２０等）されて表示されるものである。なお、当該検索結果の表示上で指定選択した場合にそのまま楽曲を演奏させることとしてもよい。
【００４０】
このように、年齢範囲別でよく歌唱される楽曲を容易な処理でリスト化することができるもので、このリストアップされた楽曲は利用者にとってはよく知っている楽曲が多数含まれることとなる。すなわち、年齢に応じてより精緻な楽曲選択を可能として利用者の満足度を向上させることができるものである。
【００４１】
なお、上記例では、ランキングリストを作成するにあたって、年齢範囲を１０歳範囲としたが、１歳（これも年齢範囲とする）から適宜設定することができるもので、範囲が狭まるほど利用者の歌唱可能性の高い楽曲をリスト化することが可能となるものである。この場合、年齢範囲に加えて、さらに性別、職業、住所地の何れかまたは複数で絞り込んでランキングリストを作成するとさらに歌唱可能性の高い楽曲をより精緻にリストアップすることができるものである。また、上記例では、管理サーバ１１で作成したランキングリストのデータを、カラオケ演奏端末１３のそれぞれに記憶させておく場合を示したが、管理サーバ１１のみで保有しておき、通信ネットワーク１２を介して当該管理サーバ１１においてランキング検索することとしてもよい。これらのことは、以下の実施形態においても適用することができるものである。
【００４２】
次に、図７に、本発明に係るカラオケ演奏管理システムにおける他のランキングリスト作成の構成説明図を示す。上記例では、ランキングリストを作成する対象を各利用者が持ち歌として楽曲登録しているユーザリストとした場合を示したが、ここでは特別な歌唱評価のサービスを受けた利用者の履歴をランキングリスト作成の対象としたものである。この場合の特別な歌唱評価には、例えば歌唱採点の結果で同一楽曲での全国順位を行う場合や、歌唱音声データを管理サーバ１１に送信させて段級位を認定するもの等がある。
【００４３】
すなわち、図７（Ａ）において、カラオケ演奏端末１３には、上記特別な歌唱評価のための構成要素として、評価処理手段である歌唱採点手段５８を備えると共に、記憶手段４４には採点ログ記憶領域（メモリ）６６および歌唱音声データ記憶領域（メモリ）６７を備える。また、管理サーバ１１には、歌唱音声データＤＢ３２および履歴ＤＢ３３が備えられる。
【００４４】
上記カラオケ演奏端末１３における歌唱採点手段５８は、例えば採点テーブルを備え、選択された楽曲元データに基づいて音楽曲出力手段５１でデジタル再生された楽曲の主旋律のピッチ基準条件と、マイク５２より入力されてくる歌唱データをデジタル変換したデジタル歌唱データから抽出した歌唱ピッチとを上記採点テーブルを参照して比較し、これを例えば１小節ごとの区間毎の比較した結果の得点として例えば平均することにより採点結果とするもので、そのためのプログラムがＲＡＭ４３に展開されて実行される。また、記憶手段４４における採点ログ記憶領域６６は、歌唱採点手段５８で採点した結果を当該登録者ＩＤに紐付けして歌唱毎に順次記憶する。そして、歌唱音声データ記憶領域６６は、利用者の歌唱した歌唱音声データを当該登録者ＩＤおよび楽曲コードと共に一旦記憶し、当該利用者が歌唱後にオーディションまたは歌唱検定を選択したときに、管理サーバ１１に送信されるもので、次曲が選択されるまで保持するものである。
【００４５】
また、管理サーバ１１における歌唱音声データＤＢ３２は、上記段級位認定サービスを希望する利用者によって当該カラオケ演奏端末１３より送信された音声データ（記憶手段４４の音声データ記憶領域６７）を格納するもので、履歴ＤＢ３３は、上記の特別な歌唱評価のサービスを希望する利用者から送られてきた当該登録者ＩＤが関連づけられた楽曲情報を格納するものである。
【００４６】
そこで、図７（Ｂ）において、まず、所定のカラオケ演奏端末１３より（１３Ａ〜１３Ｎ）の利用者が所持する自己のＩＣカード７１を当該演奏端末のカード読取手段５５にセットすることで、当該カード読取手段５５において登録者ＩＤを読み取り、一旦記憶手段４４の登録者データ領域６４に記憶する。そして、当該利用者が表示を見ながら管理サーバ１１に対して当該登録者ＩＤと共にログイン要求を行う（Ｓ２１）。
【００４７】
管理サーバ１１では、ログイン要求に応じてデータ配信処理手段２７がいずれの歌唱評価を選択させるための歌唱評価メニュー表示データを当該カラオケ演奏端末１３に送信する（Ｓ２２）。カラオケ演奏端末１３では、利用者が楽曲の検索（直接選曲でもよい）を行い（Ｓ２３）、いずれの歌唱評価かを選択した後に（Ｓ２４）、歌唱される（Ｓ２５）。そして、歌唱後に、歌唱評価データ（採点結果データまたは歌唱音声データ）および登録者ＩＤ、楽曲コード、楽曲名、アーティストのデータを管理サーバ１１に送信する（Ｓ２６）。
【００４８】
管理サーバ１１では、受信した歌唱評価データを歌唱音声データＤＢ３２等に記憶すると共に、登録者ＩＤ、楽曲コード、楽曲名、アーティストのデータに基づいて、履歴ＤＢ３３に日付と共に記録する（Ｓ２７）。そこで、ランキング演算手段２６が履歴ＤＢ３３に対して、定期的または随時に、総ての履歴データの楽曲等を読み込み、関連づけられた登録者ＩＤより登録者ＤＢ２９を参照して、読み込んだ各楽曲に登録者ＩＤで特定された年齢の情報を一時的に付加し、これらの楽曲情報を年齢範囲（例えば１０歳範囲とする）で分類し、１０齢範囲毎に同一楽曲の指定数でリスト化したリストファイルを作成する。すなわち、図５に示すように、例えば１〜１０歳、１１〜２０歳、・・・、８１〜９０歳の年齢範囲で多数登録された楽曲順のランキングリスト（カウント、楽曲名、アーティスト）とするものである。
【００４９】
このように、ランキングリストを作成するにあたって、上記のユーザリストのほかに履歴情報に基づいても年齢範囲別でよく歌唱される楽曲を容易な処理でリスト化することができ、上記同様に、年齢に応じてより精緻な楽曲選択を可能として利用者の満足度を向上させることができるものである。
【産業上の利用可能性】
【００５０】
本発明のカラオケ演奏管理システムは、カラオケ演奏端末に対して顧客に応じた楽曲選択のサービス提供に利用させるに適する。
【図面の簡単な説明】
【００５１】
【図１】本発明に係るカラオケ演奏管理システムのネットワーク接続状況の模式図である。
【図２】本発明に係るカラオケ演奏管理システムのブロック構成図および登録者ＤＢの格納内容の一例の説明図である。
【図３】図１のカラオケ演奏端末のブロック構成図である。
【図４】本発明に係るカラオケ演奏管理システムにおけるユーザリスト作成のフローチャートおよびユーザリストの一例の説明図である。
【図５】作成された楽曲ランキングの一例の説明図である。
【図６】カラオケ演奏端末における楽曲ランキング検索の説明図である。
【図７】本発明に係るカラオケ演奏管理システムにおける他のランキングリスト作成の構成説明図である。
【符号の説明】
【００５２】
１１            カラオケ演奏管理サーバ
１２            通信ネットワーク
１３            カラオケ演奏端末
１４            遠隔入出力装置
２５            リスト作成手段
２６            ランキング演算手段
２９            登録者ＤＢ（データベース）
３０            ユーザリストＤＢ
３１            ランキングＤＢ
３３            履歴ＤＢ
【図１】
2006098832.tif 000003
【図２】
2006098832.tif 000004
【図３】
2006098832.tif 000005
【図４】
2006098832.tif 000006
【図５】
2006098832.tif 000007
【図６】
2006098832.tif 000008
【図７】
2006098832.tif 000009